(57)【要約】【要  約】【課  題】    昇降装置から外に漏れる駆動音を小さくするとともに、昇降装置を空気吸込口における空気の流れに干渉せずに、かつ、堅固に取り付ける。【解決手段】  グリル枠（２１）の上側に取り付けられる昇降装置の外郭（４４，４６）は箱体で構成され、その内部にプーリー（６４ａ，６４ｂ，６４ｃ）およびモータ（６１）が設けられている。グリル枠の上面には、位置決め用突出部（５１）が突出するとともにリード線押さえ部（５４）が設けられている。昇降装置は、その下部の外側面を位置決め用突出部に当接させ、かつ、昇降装置の下面とグリル枠の上面との間に昇降装置設置用ボス（５６）を介在させて固定されれ、昇降装置の下面とグリル枠の上面との間に配線用空間（５８）が形成される。この配線用空間に電装品（７２）からのリード線（７４）が配線され、このリード線を、昇降装置の下面と間隔を有しているリード線押さえ部が保持する。【選択図】  図７
2005156088.tif 000002
【特許請求の範囲】
【請求項１】
室内機本体の下方にグリル枠が設けられ、このグリル枠は空気吸込口および空気吹出口を具備し、昇降装置が吊りひもを巻取り・繰り出しすることにより、昇降グリルが上下動し、上昇時には昇降グリルがグリル枠の空気吸込口に位置している天井埋込型空気調和装置において、
前記グリル枠の上側に取り付けられる前記昇降装置は、その外郭が箱体で構成され、その箱体の内部に吊りひもを巻取り・繰り出しするプーリーおよびこのプーリーを回転駆動するモータが設けられており、
前記グリル枠の上面には、位置決め用突出部が突出するとともに、この位置決め用突出部よりも空気吸込口側にリード線押さえ部が設けられており、
前記昇降装置は、その下部の外側面を前記位置決め用突出部に当接させ、かつ、昇降装置の下面とグリル枠の上面との間に昇降装置設置用ボスを介在させて固定され、昇降装置の下面とグリル枠の上面との間に配線用空間を形成するとともに前記リード線押さえ部の上端と昇降装置の下面とが間隔を有しており、
電装品からのリード線が前記リード線押さえ部で保持されながら、前記配線用空間に配線されていることを特徴としている天井埋込型空気調和装置。
【発明の詳細な説明】
【技術分野】
【０００１】
本発明は、天井埋込型空気調和装置に関する。
【背景技術】
【０００２】
従来、天井埋込型空気調和装置には、フィルターを掃除したり交換するために、昇降装置で吊りひもを巻取り・繰り出しすることにより昇降グリルを上下動可能にしているものがある。そして、昇降装置を構成するプーリー、歯車やモータなどは従来、たとえば特許文献１に記載されているように、露出している。また、回転する歯車の一部が空気吸込口にはみ出しており、空気の流れの妨げになっている。
【特許文献１】特開平９−２１５４５号公報
【発明の開示】
【発明が解決しようとする課題】
【０００３】
解決しようとする問題点は、昇降装置から外に漏れる駆動音が大きいとともに、空気の流れに干渉している点である。
【課題を解決するための手段】
【０００４】
本発明の天井埋込型空気調和装置は、室内機本体（１）の下方にグリル枠（２１）が設けられ、このグリル枠は空気吸込口（２２）および空気吹出口（２３）を具備し、昇降装置（３６）が吊りひも（３２，３３，３４）を巻取り・繰り出しすることにより、昇降グリル（３１）が上下動し、上昇時には昇降グリルがグリル枠の空気吸込口に位置している。そして、前記グリル枠の上側に取り付けられる前記昇降装置は、その外郭（４４，４６）が箱体で構成され、その箱体の内部に吊りひもを巻取り・繰り出しするプーリー（６４ａ，６４ｂ，６４ｃ）およびこのプーリーを回転駆動するモータ（６１）が設けられており、前記グリル枠の上面には、位置決め用突出部（５１）が突出するとともに、この位置決め用突出部よりも空気吸込口側にリード線押さえ部（５４）が設けられており、前記昇降装置は、その下部の外側面を前記位置決め用突出部に当接させ、かつ、昇降装置の下面とグリル枠の上面との間に昇降装置設置用ボス（５６）を介在させて固定され、昇降装置の下面とグリル枠の上面との間に配線用空間（５８）を形成するとともに前記リード線押さえ部の上端と昇降装置の下面とが間隔を有しており、電装品（７２）からのリード線（７４）が前記リード線押さえ部で保持されながら、前記配線用空間に配線されている。
【発明の効果】
【０００５】
本発明によれば、昇降装置の外郭が箱体で構成され、その箱体の内部に吊りひもを巻取り・繰り出しするプーリーおよびこのプーリーを回転駆動するモータが設けられているので、プーリーおよびモータが箱体に覆われており、昇降装置から外に漏れる駆動音を極力小さくすることができる。また、この昇降装置はグリル枠の上側に取り付けられており、空気吸込口の空気の流れに干渉することが少ない。しかも、昇降装置とグリル枠との間には昇降装置設置用ボスが介在しており、昇降装置とグリル枠との間に配線用空間を形成することができ、昇降装置がグリル枠の上側に配置されているにもかかわらず、グリル枠の上側におけるリード線の配線が容易となる。さらに、このリード線はリード線押さえ部で保持されているが、リード線押さえ部と昇降装置とは間隔を有しており、昇降装置がリード線押さえ部を押しつけることによるリード線の損傷や振動の伝達を防止することができる。また、昇降装置は昇降装置設置用ボスによりグリル枠から浮いた状態になっているにもかかわらず、昇降装置の外郭の下部の外側面が位置決め用突出部により支持されるため、昇降装置を堅固に固定することができる。
【発明を実施するための最良の形態】
【０００６】
天井埋込型空気調和装置において、昇降装置から外に漏れる駆動音を小さくするとともに、昇降装置を空気吸込口における空気の流れに干渉せずに、かつ、堅固に取り付けるという目的を、昇降装置のプーリーやモータを箱体内に収納するとともに、グリル枠の上側に昇降装置設置用ボスを介して取り付け、かつ、昇降装置の外郭の下部の外側面を位置決め用突出部により支持することで実現した。
【実施例１】
【０００７】
次に、本発明における天井埋込型空気調和装置の一実施例について、図１ないし図８を用いて説明する。図１は本発明における天井埋込型空気調和装置の実施例の斜視図である。図２はグリル枠、フィルターおよび昇降グリルの分解斜視図である。図３は室内機本体の底面図である。図４は天井埋込型空気調和装置の正面図である。図５は昇降装置のベース基板、カバー体およびギアボックスの概略の分解斜視図である。図６は昇降装置の説明図で、（ａ）が昇降装置の内部構造を説明するための断面図、（ｂ）がプーリーおよび歯車の説明図である。図７は昇降装置の箱体の取付部の要部断面図である。図８は図７の VIII-VIII断面図である。
【０００８】
なお、図１において、昇降グリルはグリル枠に取り付けられた状態と、下降した状態の両方の状態で図示されている。図３において、グリル枠および昇降装置の配置位置が二点鎖線で図示されている。図６（ｂ）において、歯車は実際には斜めに配列されているが、前側から見ると歯車が部分的に前後に重なり分かり難くなるため、分かりやすいように上下方向に配列した状態で図示されている。そして、この明細書の記載において、天井埋込型空気調和装置の長手方向を左右方向とし、２本の吊りひもが配置されている側を前側としている。
【０００９】
まず始めに、天井埋込型空気調和装置の全体構成を説明する。
天井埋込型空気調和装置の室内機本体１の外装板２には、その左右側面の前後に固定部としての固定フランジ３が総計４個設けられている。天井板６には、室内機本体１を下側から天井内に設置することが可能なように開口部７が形成される。
【００１０】
また、アンカーボルト９が天井内の構造体（図示しない）に取り付けられており、このアンカーボルト９の下端部に室内機本体１の固定フランジ３を固定することにより、室内機本体１は天井内に設置される。
【００１１】
室内機本体１は、内部に熱交換器（図示しない）および送風機（図示しない）を具備しており、冷媒配管用の接続口１１およびドレン用の接続口１２が、室内機本体１の外装板２から外側に突出して設けられている。冷媒配管用の接続口１１は、冷媒配管１３で室外機（図示しない）に接続される。また、ドレン用の接続口１２にはドレン配管１４が接続される。そして、室内機本体１の底面には、吸込口１６および吹出口１７が形成されている。吸込口１６は室内機本体１の底面の中央部に設けられ、この吸込口１６を挟んで前後に吹出口１７が一対に設けられている。この吹出口１７は左右方向に長く設けられている。また、室内機本体１の電装箱１８は外装板２の内側に設けられるとともに、接続口１１，１２の配置側とは反対側に配置されている。
【００１２】
天井板６の開口部７および室内機本体１の下方は、グリル枠２１で覆われている。このグリル枠２１は、室内機本体１の吸込口１６および吹出口１７に対応する位置に、空気吸込口２２および空気吹出口２３を具備している。すなわち、空気吸込口２２がグリル枠２１の中央部に設けられ、この空気吸込口２２を挟んで前後に空気吹出口２３が一対に設けられている。この空気吹出口２３は左右方向に長く設けられている。そして、空気吸込口２２と空気吹出口２３との間には、グリル枠２１の桟２４が設けられ、空気吸込口２２と空気吹出口２３とを仕切っている。また、グリル枠２１は室内機本体１に取り付けられている。
【００１３】
グリル枠２１の空気吸込口２２には、略矩形の昇降グリル３１が配設されている。この昇降グリル３１には、前側の左右および後側の中央部に吊りひも３２，３３，３４が各々取り付けられている。この計３本の吊りひも３２，３３，３４は、詳細は後述する昇降装置３６により巻取り・繰り出しされる。グリル枠２１の下側からネジ３７を螺合することにより、昇降装置３６はグリル枠２１の上側に取り付けられ、空気吸込口２２の右側（すなわち、接続口１１，１２の配置側とは反対側）で、かつ、前後の空気吹出口２３の延長線の間に配置されている。そして、昇降装置３６が稼働して、吊りひも３２，３３，３４を巻取り・繰り出しすると、昇降グリル３１は上下方向に移動する。この昇降グリル３１にフィルター４１が着脱可能に取り付けられており、フィルター４１を着脱する際には、昇降グリル３１を下降させる。そして、昇降グリル３１の最下降時には、前側に行くほど下側となるように約４５°の傾きで停止する。また、空気調和の際には、昇降グリル３１を上昇させて空気吸込口２２に位置させる。そして、グリル枠２１の空気吸込口２２から吸い込まれた空気は、室内機本体１の熱交換器で冷却または加熱されて、グリル枠２１の前後の空気吹出口２３から吹き出される。
【００１４】
次に、昇降装置３６の詳細を説明する。昇降装置３６の外郭は、グリル枠２１にネジ３７で取り付けられるベース基板４４と、このベース基板４４に取り付けられるカバー体４６とで構成され、略直方体形状の箱体をしている。そして、昇降装置３６の外郭は、その全体がグリル枠２１の上側に配置されており、空気吸込口２２にはみ出してはいない。ベース基板４４はグリル枠２１に取り付けられる略水平な水平板部４４ａと、この水平板部４４ａから略垂直に立ち上がる垂直板部４４ｂを具備しており、この垂直板部４４ｂにギアボックス４８が取り付けられている。
【００１５】
グリル枠２１の上面には、昇降装置３６の外郭が当接する位置決め用突出部であるリブ５１が突出している。また、このリブ５１の左側（すなわち、空気吸込口２２配置側）には、ネジ３７が挿入される貫通孔５２、リード線用溝５３およびリード線押さえ部５４が形成されている。また、貫通孔５２の上側には筒状の昇降装置設置用ボス５６が設けられる。ネジ３７は、グリル枠２１の下側から貫通孔５２、ボス５６を通ってその先端がベース基板４４に螺合する。そして、昇降装置３６の下面は、リード線押さえ部５４の上端よりも上方に位置して、間隔を有している。また、昇降装置３６の下面とグリル枠２１本体の上面との間には空間が形成され、その一部が配線用空間５８となっている。この配線用空間５８の部分に、前述のリード線用溝５３およびリード線押さえ部５４が配置されている。
【００１６】
ベース基板４４の垂直板部４４ｂに取り付けられるギアボックス４８内の上部には、駆動モータ６１が設けられている。この駆動モータ６１の回転軸にはウォーム６２が固定されており、モータ６１が回転駆動すると、ウォーム６２が回転する。モータ６１の回転軸は前後方向に配置されている。また、ウォーム６２は歯車機構である歯車６３ａ，６３ｂ，６３ｃを介してプーリー６４ａ，６４ｂ，６４ｃを回転駆動する。駆動モータ６１の回転軸すなわちウォーム６２は、歯車６３ａ，６３ｂ，６３ｃおよびプーリー６４ａ，６４ｂ，６４ｃよりも上方に位置している。また、第３のプーリー６４ｃは、クラッチ６６を介して第３の歯車６３ｃに連結されている。歯車６３ａ，６３ｂ，６３ｃおよびプーリー６４ａ，６４ｂ，６４ｃの回転軸は左右方向に配置されており、その横幅は図６（ｂ）に図示するように狭くなっている。各プーリー６４ａ，６４ｂ，６４ｃに各々吊りひも３２，３３，３４が取り付けられている。プーリー６４ａ，６４ｂ，６４ｃからの吊りひも３２，３３，３４はギアボックス４８から出て、案内部であるガイドローラ６７ａ，６７ｂ，６７ｃにより下方に案内されて、ベース基板４４の水平板部４４ａの貫通孔６８ａ，６８ｂ，６８ｃから下方に導出され、前述のように、その先端が昇降グリル３１に取り付けられている。また、貫通孔６８ａ，６８ｂ，６８ｃにはベース基板４４の水平板部４４ａから下方に突出するカラー６９ａ，６９ｂ，６９ｃが設けられ、このカラー６９ａ，６９ｂ，６９ｃを吊りひも３２，３３，３４が通っている。
【００１７】
また、前後の空気吹出口２３のルーバは各々、電装品であるモータ７１，７２で駆動されており、このモータ７１，７２は各空気吹出口２３の横側に配置されている。後側のモータ７２からのリード線７４は、カバー体４６とグリル枠２１との間の配線用空間５８を通って前側に配線され、前側のモータ７１からのリード線７３と合流して結束されている。そして、リード線７４が配線用空間５８に配線される際には、リード線用溝５３に嵌まるとともに、リード線押さえ部５４で押さえ込まれている。
【００１８】
さらに、モータ７１，７２からのリード線７３，７４は、昇降装置３６の駆動モータ６１からのリード線７６や表示基板からのリード線などと合流して結束され、室内機本体１の電装箱１８内の基板（図示しない）に接続されている。
【００１９】
この様に構成されている天井埋込型空気調和装置において、昇降装置３６をグリル枠２１に取り付ける際には、前もって、モータ７２からのリード線７４をリード線用溝５３内に嵌め込むとともに、リード線押さえ部５４で押さえ込んで配線しておく。そして、昇降装置３６の外郭の下部の外側面をリブ５１に接触させながら、グリル枠２１上に配置されたボス５６の上に載置し、ネジ３７でグリル枠２１の上側に固定する。この様にして、昇降装置３６とグリル枠２１との間には、ボス５６が介在しているため、昇降装置３６とグリル枠２１との間に配線用空間５８を形成することができる。したがって、リード線７４の配線スペースを確保することができる。しかも、昇降装置３６はグリル枠２１から浮いた状態になっているにもかかわらず、昇降装置３６の外郭の下部の外側面がリブ５１により支持されるため、昇降装置３６を堅固に固定することができる。
【００２０】
前述の様に、上記実施例においては、昇降装置３６の駆動モータ６１、ウォーム６２や歯車６３ａ，６３ｂ，６３ｃなどは、ギアボックス４８内に配置されているとともに、このギアボックス４８が昇降装置３６の外郭４４，４６内に配置されている。したがって、昇降装置３６から外に漏れる駆動音を極力小さくすることができる。また、歯車６３ａ，６３ｂ，６３ｃやプーリー６４ａ，６４ｂ，６４ｃの回転軸が左右方向に配置されて縦型となっており、昇降装置３６の横幅を狭くすることができる。したがって、昇降装置３６の設置面積を小さくすることができ、それにともなって、天井埋込型空気調和装置全体をコンパクトにすることができる。
【００２１】
さらに、昇降装置３６はグリル枠２１の本体の上側に配置されており、空気吸込口２２の空気の流れに干渉することを極力防止することができる。
そして、リード線押さえ部５４は昇降装置３６の下方に配置されているが、リード線押さえ部５４の上端と昇降装置３６の下面とは間隔を有している。ところで、昇降装置３６がリード線押さえ部５４に接触していると、昇降装置３６をネジ止めする際などに、昇降装置３６がリード線押さえ部５４を上側から押しつけて、リード線７４を損傷したり、また、昇降装置３６の振動がリード線７４やグリル枠２１などに伝わったりすることがあるが、この実施例では、リード線押さえ部５４と昇降装置３６とは間隔を有しているので、リード線７４の損傷や振動の伝達を極力防止することができる。
【００２２】
さらに、ギアボックス４８からの吊りひも３２，３３，３４は、昇降装置３６内においてガイドローラ６７ａ，６７ｂ，６７ｃにより下方に方向転換されて、昇降装置３６の下方に導き出されている。したがって、吊りひも３２，３３，３４の配置位置が低くなり、吊りひも３２，３３，３４がグリル枠２１の上方の室内機本体１などと干渉することを防止することができる。
【００２３】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
【００２４】
（１）カバー体は、上記実施例では一部材で構成されているが、ベース基板とともに箱体を形成することができるならば、その構造、材質や形状などは適宜変更可能である。たとえば、カバー体やベース基板を複数の部材で構成することも可能である。
（２）吊りひもの材質や形式などは適宜選択可能であり、たとえば、糸を束ねた線材、ワイヤーケーブル、チェーン、ベルトなどを用いることが可能である。
（３）歯車やプーリーの個数や配列などは適宜変更可能である。
（４）昇降装置設置用ボスは、昇降装置の外郭やグリル枠と別体に形成することも可能であるし、また、一体に形成することも可能である。
【００２５】
（５）昇降装置はグリル枠にネジ止めされているが、他の固定手段でグリル枠に固定することも可能である。
（６）室内機本体１を天井内の構造体に支持させるための固定手段は適宜変更可能である。
（７）吊りひもの本数は必ずしも３本に限定されず、適宜変更可能である。ただし、３本であることが好ましい。
（８）配線用空間にリード線が配線される電装品は必ずしもモータに限定されず、他の電装品でも可能である。
【産業上の利用可能性】
【００２６】
昇降装置が吊りひもを巻取り・繰り出しすることにより、昇降グリルが上昇・下降する天井埋込型空気調和装置に適用することができる。
【図面の簡単な説明】
【００２７】
【図１】図１は本発明における天井埋込型空気調和装置の実施例の斜視図である。
【図２】図２はグリル枠、フィルターおよび昇降グリルの分解斜視図である。
【図３】図３は室内機本体の底面図である。
【図４】図４は天井埋込型空気調和装置の正面図である。
【図５】図５は昇降装置のベース基板、カバー体およびギアボックスの概略の分解斜視図である。
【図６】図６は昇降装置の説明図で、（ａ）が昇降装置の内部構造を説明するための断面図、（ｂ）がプーリーおよび歯車の説明図である。
【図７】図７は昇降装置の箱体の取付部の要部断面図である。
【図８】図８は図７の VIII-VIII断面図である。
【符号の説明】
【００２８】
１  室内機本体
２１  グリル枠
２２  空気吸込口
２３  空気吹出口
３１  昇降グリル
３２〜３４  吊りひも
３６  昇降装置
４４  ベース基板（昇降装置の外郭）
４６  カバー体（昇降装置の外郭）
５１  リブ（位置決め用突出部）
５４  リード線押さえ部
５６  ボス
５８  配線用空間
６１  モータ
６４ａ，６４ｂ，６４ｃ  プーリー
７２  モータ（電装品）
７４  リード線
【図１】
2005156088.tif 000003
【図２】
2005156088.tif 000004
【図３】
2005156088.tif 000005
【図４】
2005156088.tif 000006
【図５】
2005156088.tif 000007
【図６】
2005156088.tif 000008
【図７】
2005156088.tif 000009
【図８】
2005156088.tif 000010